(57)【要約】   【課題】  胴縁部に距離をおいて設置する外壁材用取付金具であり、寸法や重量等が異なる各メーカーの外壁材に適応できる構造と強度を有する取付金具を提供する。 【解決手段】  基板の１左右両端部に内側方に曲折した側板２，２を先端部に外折部３，３を形成して設け、基板の略中央部の左右両側板間には正面方向に膨出した突出部４の上面部に，背面部から正面部に膨出した傾斜凸部５，５，５をその左右両側部６，６，６も膨出して設け、基板の底辺部から前側方に形成した底板８の左右両端部には下側板１０，１０を設け、この下側板の前後両側部に前立板１１，１１と後立板１２，１２とを設けて略箱形状の囲み部分を形成し、底板の前端部中央部に起上板１４を設けるとともに前端部左右両側部に起下板１６，１６を設け、この起上板と前記両側板の外折部との間及び起下板と前記下側板の前立板との間には開口部１８，１８’を形成する。 【選択図】    図２
2008248475.tif 000002
【特許請求の範囲】
【請求項１】
基板の左右両端部に内側方に曲折した側板をその先端部に外折部を形成して設け、前記基板の略中央部の左右両側板間には背面部から正面部に膨出した突出部の上面部に、間隔をおいて背面部から正面部に膨出した傾斜凸部をその左右両側部も膨出して設け、前記基板の底辺部から前側方に水平に形成した底板の左右両端部には下側板を設け、この下側板の前後両側部にはそれぞれ前立板と後立板とを設けて略箱形状の囲み部分を形成し、前記底板の前端部中央部には起上板を設けるとともに前端部左右両側部には起下板を設け、この起上板と前記両側板の外折部との間及び起下板と前記下側板の前立板との間には外壁材の下端部又は上端部を嵌挿する開口部を形成して成ることを特徴とする外壁材取付金具。
【発明の詳細な説明】
【技術分野】
【０００１】
本発明は、外壁材の取付金具に関するものである。
【背景技術】
【０００２】
従来、セメント系無機質板等から成る外壁材を表面から釘打ちすることなく、壁下地に固定する手段として用いる金具としては、例えば実開平５−８３０号、登録実用新案第３００９６０４号、同第３０２５４９６号、特開平１０−３１７６３４号、特許第３３８７７３４号のごとき技術が知られているが、いずれも基板に設けられている通孔は基板の垂直面に平行に穿孔されているため、基板と一体に成る留め金具の底面部にかかる外壁材の重量によって、前記通孔を介して胴縁に打ち込まれている釘やビスが弛緩して抜け易くなる状態が起っていた。
【０００３】
【特許文献１】実開平５−８３０号公報
【特許文献２】登録実用新案第３００９６０４号公報
【特許文献３】登録実用新案第３０２５４９６号公報
【特許文献４】特開平１０−３１７６３４号公報
【特許文献５】特許第３３８７７３４号公報
【特許文献６】特開２００５−６１１３５号公報
【発明の開示】
【発明が解決しようとする課題】
【０００４】
そこで、取付金具の固定のために胴縁に打ち込まれる釘やビスの弛緩や離脱を防止し、外壁材の固定を安全かつ確実にするものとして、本件出願人は特願２００３−２９５０１７号（特開２００５−６１１３５号）を出願した。しかし、これにあっても、受け金具としての全体の強度に難点があったことに鑑み、あらゆる外壁材メーカーの製品を取付け設置するために対応できる強度を十分強化した金具を提供することを目的とするものである。
【課題を解決するための手段】
【０００５】
本発明は、基板の左右両端部に内側方に曲折した側板をその先端部に外折部を形成して設け、前記基板の略中央部の左右両側板間には背面部から正面部に膨出した突出部の上面部に，間隔をおいて背面部から正面部に膨出した傾斜凸部をその左右両側部についても膨出して設け、前記基板の底辺部から前側方に水平に形成した底板の左右両端部には下側板を設け、この下側板の前後両側部にはそれぞれ前立板と後立板とを設けて略箱形状の囲み部分を形成し、前記底板の前端部中央部には起上板を設けるとともに前端部左右両側部には起下板を設け、この起上板と前記両側板の外折部との間及び起下板と前記下側板の前立板との間には外壁材の下端部又は上端部を嵌挿する開口部を形成して成る。
【発明の効果】
【０００６】
本発明の留め金具によれば、基板の左右両側板は比較的長く前側方に突設しているものであるから、いかなるメーカーの外壁材であっても十分な通気層を確保できるように胴縁と外壁材との間の空間部を形成することができる。
【０００７】
また、外壁材を受け止める必要な強度は、基板の底辺部から前方向に形成する底板左右両側部の下側方部には一体に囲み状態に成る箱形状部を構成していること、及びこの左右箱形状部の前立板部から距離をおいて前方部に段差をつけた起下板を設けるとともに左右両側板の外折板部から距離をおいて前方部に底板中央部の起上板を設けているから、この上下両部間に形成した空間部には上外壁材の下端部と下外壁材の上端部とをそれぞれ確実に嵌挿設置し得るようになり、その設置を強力にかつ確実に保持することができるようになる。
【発明を実施するための最良の形態】
【０００８】
建物の胴縁の外側部に外壁材を取付けるためには、まず胴縁の定位置に横方向に適当間隔をおいて本発明金具をビス止めして設置することになるが、底板の先端部から前方部に突設している起上板と起下板の角度や、これらと底板左右両側部下方部に設置した略箱形状に成る囲み部分と前記起下板との間の空間部の間隔巾は、各メーカーの外壁材の厚さ巾や凹溝巾にいずれも適合する余裕をもって形成しているから、汎用性があり、作業者は安心して施工作業を行うことができるようになる。
【０００９】
本発明の金具において使用する材料は、例えば高耐食溶融亜鉛メッキ鋼板である。
【実施例】
【００１０】
１は適当寸法の横巾と高さから成る基板で、この基板の左右両側端部には内側方向に直角形状に曲折した側板２，２を比較的長く形成するとともにこの先端部をさらに外側方に曲折した外折部３，３を形成する。
【００１１】
４は前記基板１の略中央部において左右両側板２，２間には背面部から正面部にかけて山形状に膨出した突出部で、この突出部の上面部には間隔をおいて基板１背面部から前方向に膨出した傾斜凸部５，５，５を設け、この各傾斜凸部の左右両側部６，６，６についても基板１と突出部４との間に膨出して立体形状に成る。
【００１２】
前記基板１の正面部にかけて膨出した前記突出部４は、基板の背面部から見ると凹状部４’に形成し、立体形状に成る各傾斜凸部５，５，５は、基板の背面部から見るとそれぞれ各凹状部５’，５’，５’に形成し、各突出部及び各傾斜凸部はそれぞれ凸凹形状に成る。
【００１３】
７，７，７は前記傾斜凸部５，５，５にそれぞれ設けた通孔で、この通孔には必要なビスａが挿通して胴縁部ｂに取付く。
【００１４】
８は前記基板１の底面部から前側方に水平に曲折形成した底板で、この底板と基板１との間には複数の補強凸部９，９，９を形成する。
【００１５】
１０，１０は前記底板８の左右両端部から下方に直角に曲折した下側板で、この下側板からはその前後両側部に直角にそれぞれ曲折した前立板１１，１１と後立板１２，１２とを設ける。
【００１６】
前記底板８の左右両側部の下側部においては、それぞれ前記のとおり、下側板１０と前立板１１と後立板１２とによって略箱形状に成る囲み部分を形成する。
【００１７】
１３，１３は前記両下側板１０，１０及び前記両前後立板１１，１１，１２,１２にかけて横方向に形成した補強凸部である。
【００１８】
１４は前記底板８の前端部中央部に斜め上方向に補強段差をつけて立設した起上板で、この起上板と底板８との間には補強凸部１５，１５を形成する。
【００１９】
１６，１６は前記底板８の前端部左右両側部において補強段差をつけて下方向に形成した起下板で、この起下板と底板８との間に補強凸部１７，１７を形成する。
【００２０】
１８は前記底板８の左右両側部の下側部において全体が略箱形状に成る左右の下側板１０，１０の前立板１１，１１部とその前側方に位置する前記起下板１６，１６との間に形成される下外壁材ｃの嵌挿用開口部で、その施工状態は図５を参照されたい。
【００２１】
１８’は前記左右両側板２，２の外折板３，３とその前側方の中央に位置する前記起上板１４との間に形成する上外壁材ｃの嵌挿用開口部で、その施工状態は図５に示している。
【００２２】
ａはビス、ｂは胴縁部、ｃは外壁材、ｄは通気層を示す。
【図面の簡単な説明】
【００２３】
【図１】全体の正面図
【図２】全体の正斜視図
【図３】全体の背斜視図
【図４】全体の右側面図
【図５】一実施状態を示す側断面図
【符号の説明】
【００２４】
１                基板
２，２            左右側板
３，３            外折部
４                突出部            
５，５，５        傾斜凸部
５’，５’，５’  凹状部            
６，６，６        左右両側部
７，７，７        通孔
８                底板
１０，１０        下側板
１１，１１        前立板
１２，１２        後立板
１４              起上板
１６，１６        起下板
１８，１８’      開口部    
【図１】
2008248475.tif 000003
【図２】
2008248475.tif 000004
【図３】
2008248475.tif 000005
【図４】
2008248475.tif 000006
【図５】
2008248475.tif 000007